(57)【特許請求の範囲】
【請求項１】
絶縁トロリー線の接続部を保護する２つ割りの保護カバーであって、該２つ割りの保護カバーはそれぞれの保護カバー本体に設けたボルト挿通部にボルトを通し、ナットで締めつけて組み立てる保護カバーであり、前記一方の保護カバー本体のボルト挿通部は外側に開口するボルト頭を装着するボルト頭挿入凹部またはナットを装着するナット挿入凹部とボルト挿入部とからなり、他方の保護カバー本体のボルト挿通部は少なくともボルト挿入部からなり、両保護カバー本体に設けたボルト挿通部には少なくともボルトの直径の幅を有し、ボルト頭またはナットの幅より狭い幅のスリットが設けられ、両保護カバー本体に設けたボルト挿通部のスリットを通して、予めボルトとナットを組み付けた状態のボルト・ナットをボルト挿通部に装着し、ボルト・ナットを締めつけて両保護カバー本体を組み上げるように構成したことを特徴とする絶縁トロリー線接続部の保護カバー。
【発明の詳細な説明】
【０００１】
【発明の属する技術分野】
本発明はクレーン等の移動体に電気を供給する移動体給電装置である絶縁トロリー線の接続部分を保護する絶縁トロリー線接続部の保護カバーに関するものである。
【０００２】
【従来の技術】
絶縁トロリー線は主として構築物の天井等、高所に取り付けられ、クレーン等の移動体に電気を供給する。
絶縁トロリー線は構築物の天井の梁等に移動体の軌跡に沿った軌道に合わせて敷設する。そのため、敷設軌跡にあわせた短尺の絶縁トロリー線を現場に運び込み、これらの絶縁トロリー線を接続しながら配線し、接続部分には該接続部分を保護する保護カバーが取り付けられる。
保護カバーは２つ割りの絶縁体で構成され、該カバーに設けられたボルト挿通孔にボルトを通しナットで締めつけて取り付けている。
【０００３】
【発明が解決しようとする課題】
２つ割り保護カバーを組み合わせ、両者のボルト挿通孔にボルトを通し、ナットで締めつける作業は上述したように高所で行われる。高所作業は比較的安定しない足場での作業となるため、ボルト挿通孔にボルトを挿通する際、あるいは、ボルトにナットを組み付ける際に、ボルトをあるいはナットを取り落とすことがある。
このように、ボルト或いはナットを落とすと拾いに降りるには作業時間の無駄となり、また下にいる人に当たれば怪我をさせることになり、器物に当たれば器物を損傷することになるため、作業には熟練を要するとともに慎重さが要求されていた。
【０００４】
【課題を解決するための手段】
本発明はかかる懸念を払拭し、高所作業を安全に実施できる絶縁トロリー線接続部の保護カバーを提供するものである。本発明は、絶縁トロリー線の接続部を保護する２つ割りの保護カバーであって、該２つ割りの保護カバーはそれぞれの保護カバー本体に設けたボルト挿通部にボルトを通し、ナットで締めつけて組み立てる保護カバーであり、前記一方の保護カバー本体のボルト挿通部は外側に開口するボルト頭を装着するボルト頭挿入凹部またはナットを装着するナット挿入凹部とボルト挿入部とからなり、ボルト挿通部には少なくともボルトの直径の幅を有するスリットが設けられ、他方の保護カバー本体のボルト挿通部は少なくともボルト挿入部からなり、該ボルト挿通部には少なくともボルトの直径の幅を有し、ボルト頭またはナットの幅より短い幅のスリットが設けられ、両保護カバー本体に設けたボルト挿通部のスリットを通して、予めボルトとナットを組み付けた状態のボルト・ナットをボルト挿通部に装着し、ボルト・ナットを締めつけて両保護カバー本体を組み上げるように構成したことを特徴とする絶縁トロリー線接続部の保護カバーである。
【０００５】
本発明の保護カバーは、ボルトとナットとを予め一体にし、好ましくはボルトとナットを外れないように組付けた状態で両保護カバー本体に形成のボルト挿通部に装着できるので、ボルトあるいはナットを取り落とす危険性が極端に少なくなり、高所作業を簡単に、より安全に実施することができる。
【０００６】
【発明の実施の形態】
以下本発明を図面に基づいて詳細に説明する。
図１は本発明の第１の実施形態を示すもので、図１（イ）は両保護カバー本体１ａ、１ｂを組み立て（ボルト、ナットを省略してある）保護カバー１とした状態を示す要部斜視図、図１（ロ）は図１（イ）に示すＡ−Ａ線で切断した断面図である。図において２は保護カバー本体１ａ、１ｂに設けたボルト挿通部、３はボルト挿通部にボルト４とナット５とを一体として装着するためのスリットで、該スリット３の幅は装着するボルト４の直径より多少広い、即ち、ボルト４が挿通部まで挿入しうる幅となっている。この幅が余り狭すぎるとボルト４をボルト挿通部に組み付けるのに工夫を要することとなり、また、余り大きいと、一旦ボルト挿通部に装着したボルト、ナットが容易に外れて落下する危険性がでてくるため、ボルトの直径より僅かに大きい程度が最良である。
【０００７】
７は一方の保護カバー本体１ａに設けたボルト頭４１を装着するボルト頭挿入凹部、８は他方の保護カバー１ｂに設けたナット５を装着するナット挿入凹部で、これらのボルト頭挿入凹部７、ナット挿入凹部８には前記スリット３と連続するスリット３１が設けられている。ボルト頭挿入凹部７、およびナット挿入凹部８の大きさはそれぞれボルト頭４１、ナット５が装着できる大きさであり、該凹部７、８に設けるスリット３１の幅はボルト頭４１、ナット５の幅より狭くする。通常はスリット３と３１は同じ幅とする。このように、スリット３１の幅をボルト頭４１、ナット５の幅より狭くすることによりボルト頭挿入凹部７、およびナット挿入凹部８にボルト頭４１、ナット５が装着されるとボルト・ナットはスリット３から外れることがなくなる。
【０００８】
保護カバー本体１、１を組み立てるには、先ず、２つの本体１ａ、１ｂを組み合わせる。この状態で両本体に設けたスリット３、３は直線状に合わせられる。次に、このスリット３、３に予めボルト４とナット５とを一体に組み付けたボルト・ナットをスリット３、３を通してボルト挿通部に挿入する。この時、ボルト頭４１とナット５との間の距離がスリットの長さ（保護カバー本体１ａのスリット３とスリット３１、保護カバー本体１ｂのスリット３とスリット３１との合計の長さ）より長くしておくことは勿論である。
【０００９】
ボルト挿通部に装着したボルト・ナットは先ず、一方のカバー本体側に移動させ、ナット５をナット挿入凹部８に挿入する。この時点でナットがスリット３１の幅より広いためにスリット３１から抜けることがなくなる。即ち、ボルト・ナットは保護カバーに仮止めされることになる。このように保護カバーにボルト・ナットを仮止めした状態でボルトとナットを締めつけると、ボルト頭４１はボルト挿入凹部７に装着され、ボルト頭４１、ナット５はスリット３１の幅より広いためにボルト・ナットがスリット３、３１から外れることなく、両保護カバー本体１ａ、１ｂを一体として保護カバー１とすることができる。
なお、ボルトの締付けは、ボルト頭部の上面に設けられた締付工具挿入溝に締付工具を挿入し、これを回転させることにより容易に行うことができる。
図中１１は絶縁トロリー線１２（破線で示す）を挟み込む溝、１３は絶縁トロリー線と接触する集電子（図省略）が通過する通路である。
【００１０】
図２は本発明の他の実施形態を示すもので、図１に示す第１の実施形態と相違するところは、両保護カバー１ａ、１ｂをヒンジ機構２１で回動自在に連結し、かつ、一方の保護カバー本体１ａに設けたボルト頭装入凹部７を省略し、ボルト頭４１を保護カバー本体の壁面に接触させてボルト・ナットを締めつける構成とした点である。この実施形態における両保護カバー本体の組み立ては図１に示す前記実施形態と同一なので詳細な説明は省略する。
なお、上記はボルト頭挿入凹部７を省略した実施形態につき説明したが、ボルト頭挿入凹部７ではなくナット挿入凹部８を省略しても、同様の効果が生じることは勿論である。
【００１１】
本発明において、ボルト頭４１、ナット５の形状を６角形とし、それぞれの挿入凹部７、８のいずれか一方の形状もボルト・ナットと合わせた６角形とすることによりボルト、ナットの締めつけがより容易になる。
【００１２】
【発明の効果】
以上詳述したように、本発明によれば、絶縁トロリー線の高所配線作業における絶縁トロリー線接続部の保護作業を、より安全に、かつ熟練を要さずに行うことができる等の優れた効果を有するものである。
【図面の簡単な説明】
【図１】本発明の第１の実施形態を示す斜視図である。
【図２】本発明の第２の実施形態を示す斜視図である。
【符号の説明】
１  絶縁カバー本体
２  ボルト挿通部
３  スリット
４  ボルト
４１ボルト頭
５  ナット
７  ボルト頭挿入凹部
８  ナット頭挿入凹部
２１ヒンジ機構
【図１】
0003758890.tif 000002
【図２】
0003758890.tif 000003